【手続補正書】
【提出日】平成30年10月2日(2018.10.2)
【手続補正１】
【補正対象書類名】明細書
【補正対象項目名】００８８
【補正方法】変更
【補正の内容】
【００８８】
表３は、上記の表示部の印刷及び背面の視覚的評価、並びに透明性及び光沢を示す。比較例５は、高度な粒状性を有するまだらの鏡面仕上げを与えた。鏡のようであったが、まだら状であった。他のサンプルと比較したとき、比較例３は、最も低い透明性及び最も低い光沢を有した。対照的に、例１、２及び４はすべて、より良好な不透明度、及び光沢を有した。さらに、これらのサンプルはそれぞれ、目視できる欠陥がほとんどない優れた鏡面仕上げを有した。例３は、比較例５と同等の透明性及び光沢を有したが、しかしながら、このサンプルでさえ、鏡面仕上げは滑らかであり、欠陥が少なかった。最後に、例６は、その類縁体であるインクを製造することが不可能だった比較例７を考えれば印象的な、例２と同等の外見を有した。以下、本発明の実施形態の例を列記する。
［１］
ａ．一つ又は複数のＶＭＰ顔料と、
ｂ．一つ又は複数の溶媒と、
ｃ．一つ又は複数の分散添加剤と
を含む、ＶＭＰ顔料スラリー。
［２］
前記一つ又は複数のＶＭＰ顔料が、アルミニウム、銅、亜鉛、クロム、青銅、真鍮、銀、金、チタン、鋼、鉄、マグネシウム、ニッケル、スズ、銅−亜鉛合金、銅−スズ合金、銅−アルミニウム合金、アルミニウム−亜鉛合金、亜鉛−マグネシウム合金、並びにこれらの任意の混合物及び合金からなる群から選択される、項目１に記載のスラリー。
［３］
前記一つ又は複数のＶＭＰ顔料が、アルミニウム又はアルミニウム合金を含む、項目１に記載のスラリー。
［４］
前記一つ又は複数のＶＭＰ顔料が、有機及び無機の成分、又はこれらの混合物からなる群から選択されるコーティングを有する、項目１に記載のスラリー。
［５］
前記一つ又は複数のＶＭＰ顔料が、約１〜４０％の量で存在する、項目１に記載のスラリー。
［６］
前記一つ又は複数の分散添加剤が、前記ＶＭＰ顔料の合計質量に対して、１〜５０％の量で存在する、項目１に記載のスラリー。
［７］
前記一つ又は複数の分散添加剤が、前記ＶＭＰ顔料の合計質量に対して、２〜１５％の量で存在する、項目６に記載のスラリー。
［８］
前記分散添加剤が、ルイス塩基頭部基、及びグリコールエーテル尾部を含む、項目１に記載のスラリー。
［９］
前記分散添加剤が、下式によって表され、
ＡｌＢｍＸｎＲｐ      （式１）
式中、Ａは、負電荷又は一つの孤立電子対を有する部分Ｂへの任意の共役酸であり；Ｒは、分散を補助する尾部基であり；Ｘは、部分Ｂを尾部基Ｒに共有結合的に接続する任意のリンカーであり；ｌは、共役酸Ａの数であり、部分Ｂの原子価掛ける部分Ｂの数ｍ割る前記共役酸の原子価に等しく；ｎは、リンカー分子Ｘの数であり；ｐは、尾部基Ｒの数である、項目１に記載のスラリー。
［１０］
一つ又は複数のバインダーを更に含む、項目１に記載のスラリー。
［１１］
前記一つ又は複数のバインダーが、ポリ（エステル）、ポリ（ウレタン）、ポリ（ビニル）、ポリ（エチレン）、ポリ（プロピレン）、セルロース、ポリ（酪酸ビニル）、ポリ（無水マレイン酸）、ポリ（スチレン）、酢酸セルロース、プロピオン酸酢酸セルロース、酢酸酪酸セルロース、ポリ（ビニルアルコール）、ポリ（アミド）、ニトロセルロース、アクリル、アルキド、フッ素系樹脂、又はこれらの任意の混合物、又はランダム、ブロック、若しくは交互コポリマーからなる群から選択される、項目１０に記載のスラリー。
［１２］
前記溶媒は、エステル、アルコール、及びこれらの混合物からなる群から選択される、項目１に記載のスラリー。
［１３］
エステル溶媒が、酢酸メチル、酢酸エチル、ｎ−酢酸プロピル、１−酢酸プロピル、酢酸イソプロピル、ｎ−酢酸ブチル、酢酸イソブチル、ｓｅｃ−酢酸ブチル、ｔｅｒｔ−酢酸ブチル、酪酸エチル、乳酸エチル、酢酸ヘキシル、酢酸イソアミル、プロピオン酸メチル、並びにこれらの混合物及びブレンドからなる群から選択される、項目１２に記載のスラリー。
［１４］
アルコール溶媒は、メタノール、エタノール、ｎ−プロパノール、１−プロパノール、イソプロパノール、ｎ−ブタノール、１−ブタノール、２−ブタノール、イソブタノール、ｔｅｒｔ−ブタノール、ベンジルアルコール、エチレングリコール、ジエチレングリコール、２−エチルヘキサノール、グリセロール、メチルカルビトール、２−メチル−１−ブタノール、３−メチル−２−ブタノール、１，２−プロパンジオール、１、３−プロパンジオール、プロピレングリコール、プロピレングリコールモノメチルエーテル、プロピレングリコールモノメチルエーテル酢酸塩、プロピレングリコールモノ−ｎ−プロピルエーテル、プロピレングリコールモノ−ｎ−ブチルエーテル、プロピレングリコールモノ−ｔ−ブチルエーテル、プロピレングリコールモノフェニルエーテル、ジプロピレングリコールモノメチルエーテル、ジプロピレングリコールモノメチルエーテル酢酸塩、ジプロピレングリコールジメチルエーテル、ジプロピレングリコールモノ−ｎ−ブチルエーテル、ジプロピレングリコールモノ−ｔ−ブチルエーテル、ジプロピレングリコールモノ−ｎ−プロピルエーテル、トリプロピレングリコールモノメチルエーテル、トリプロピレングリコールモノ−ｎ−プロピルエーテル、トリプロピレングリコールモノ−ｎ−ブチルエーテル、並びにこれらの混合物及びブレンドからなる群から選択される、項目１２に記載のスラリー。
［１５］
水、アセトン、メチルエチルケトン、テトラヒドロフラン、ジアセトンアルコール、モルホリン、イソホロン、メシチルオキシド、メチルイソブチルケトン、ペンタン、ヘキサン、シクロヘキサン、ヘプタン、オクタン、ノナン、デカン、ケロセン、ガソリン、ミネラルスピリット、鉱油、トルエン、キシレン、２−ブタノン、ジエチルエーテル、ジエチレングリコールジメチルエーテル、ニトロメタン、トリエチルアミン、ピリジン、並びにこれらの混合物及びブレンドからなる群から選択される更なる溶媒を更に含む、項目１２に記載のスラリー。
［１６］
前記一つ又は複数の溶媒が、水、酢酸エチル、ｎ−酢酸プロピル、酢酸イソプロピル、酢酸プロピル、ｎ−酢酸ブチル、酢酸イソブチル、ｓｅｃ−酢酸ブチル、ｔｅｒｔ−酢酸ブチル、酢酸ブチル、メタノール、エタノール、プロパノール、ｎ−プロパノール、イソプロパノール、ブタノール、ｎ−ブタノール、イソブチルアルコール、ｔｅｒｔ−ブチルアルコール、アセトン、ミネラルスピリット、ヘキサン、ヘプタン、デカン、ケロセン、鉱油、プロピレングリコールモノメチルエーテル、メチルエチルケトン、ジエチルエーテル、トルエン、キシレン、ブチルセロソルブ、エチレングリコールモノブチルエーテル、ブチルグリコール、グリセロール、メトキシメチルブタノール、及び酢酸メトキシプロピルからなる群から選択される、項目１に記載のスラリー。
［１７］
一つ又は複数の更なる添加剤を更に含む、項目１に記載のスラリー。
［１８］
前記一つ又は複数の更なる添加剤が、共分散剤、共溶媒、有機顔料、無機顔料、真珠光沢顔料、金属顔料、乳化剤、増粘剤、レオロジー調整剤、融合助剤、ワックス、樹脂、バインダー、ニス、充填材からなる群から選択される、項目１７に記載のスラリー。
［１９］
項目１〜１８のいずれか一項に記載のスラリーを含む、完成したインク又はコーティングであって、ＶＭＰがインク又はコーティングの合計質量の０．１〜１５質量％の量で存在する、インク又はコーティング。
［２０］
項目１８に記載の完成したインク又はコーティングを含む、印刷物。
【手続補正２】
【補正対象書類名】特許請求の範囲
【補正対象項目名】全文
【補正方法】変更
【補正の内容】
【特許請求の範囲】
【請求項１】
ａ．一つ又は複数のＶＭＰ顔料と、
ｂ．一つ又は複数の溶媒と、
ｃ．一つ又は複数の分散添加剤と
を含む、ＶＭＰ顔料スラリーであって、
前記溶媒は、エステル、アルコール、及びこれらの混合物からなる群から選択され、
前記分散添加剤が、下式によって表され、
ＡｌＢｍＸｎＲｐ      （式１）
式中、Ａは、負電荷又は一つの孤立電子対を有する部分Ｂへの任意の共役酸であり；Ｒは、分散を補助する尾部基であり；Ｘは、部分Ｂを尾部基Ｒに共有結合的に接続する任意のリンカーであり；ｌは、共役酸Ａの数であり、部分Ｂの原子価掛ける部分Ｂの数ｍ割る前記共役酸の原子価に等しく；ｎは、リンカー分子Ｘの数であり；ｐは、尾部基Ｒの数であり；
Ａは、Ｈ＋、Ｌｉ＋、Ｎａ＋、Ｋ＋、Ｒｂ＋、Ｃｓ＋、Ａｇ＋、Ｃｕ＋、ＮＨ４＋、（ＣＨ３）４Ｎ＋、Ｍｇ２＋、Ｃａ２＋、Ｓｒ２＋、Ｂａ２＋、Ｚｎ２＋、Ｃｄ２＋、Ｃｏ２＋Ｃｕ２＋、Ｆｅ２＋、Ｍｎ２＋、Ｎｉ２＋、Ｓｎ２＋、Ｈｇ２＋、Ｐｂ２＋、Ａｌ３＋、Ｃｒ３＋、Ｆｅ３＋、又はこれらの混合物から選択される、任意のカチオン種であり；
部分Ｂは、第一級脂肪族アミン、第一級芳香族アミン、第二級アミン、第三級アミン、アルコール、ケトン、カルボキシレート、ホスフェート、亜リン酸エステル、サルフェート、サルファイト、ヒドロキシル、又はニトロ基から選択され；
尾部基Ｒは、ポリ（エチレン）、ポリ（プロピレン）、ポリ（ブチレン）、ポリ（イソブチレン）、ポリ（イソプレン）、ポリ（アセタール）、ポリ（エチレングリコール）、ポリ（プロピレングリコール）、ポリ（ブチレングリコール）、ポリ（メチルメタクリレート）、ポリ（ジメチルシロキサン）、ポリ（ビニルアルコール）、ポリ（スチレン）、ポリ（無水マレイン酸）、ポリ（エチルメタクリレート）、ポリ（イソブチルメタクリレート）、ポリ（メタクリレート）、ポリ（ブチルメタクリレート）、ポリ（ｎ−ブチルメタクリレート）、ポリ（酪酸ビニル）、ポリ（塩化ビニル）、ポリシロキサン、及びこれらの混合物、又はランダム、ブロック、若しくは交互コポリマーから選択される、１００ｇ／ｍｏｌ〜５，０００，０００ｇ／ｍｏｌの範囲の分子量を有する、直鎖、分岐鎖、又は樹枝状ポリマー鎖であり；
リンカーＸは、Ｃ１〜Ｃ２０アルキル基、アリーレン、アルキルアリーレン、アリールアルキレン、アルキリンアミノ（alkylineamino）、アルキリンイミノ（alkylineimino）、アルキリンオキシアルキレン（alkyleneoxyalkylene）、アリレンオキシ、アリレンオキシアルキレン、オキサアルキレン、オキシアルキレン、ジオキシアルキレン、オキシアリーレン、又は複素環から選択される小分子であるか、ポリマーである、
ＶＭＰ顔料スラリー。
【請求項２】
前記一つ又は複数のＶＭＰ顔料が、アルミニウム、銅、亜鉛、クロム、青銅、真鍮、銀、金、チタン、鋼、鉄、マグネシウム、ニッケル、スズ、銅−亜鉛合金、銅−スズ合金、銅−アルミニウム合金、アルミニウム−亜鉛合金、亜鉛−マグネシウム合金、並びにこれらの任意の混合物及び合金からなる群から選択される、請求項１に記載のスラリー。
【請求項３】
前記一つ又は複数のＶＭＰ顔料が、アルミニウム又はアルミニウム合金を含む、請求項１に記載のスラリー。
【請求項４】
前記一つ又は複数のＶＭＰ顔料が、有機及び無機の成分、又はこれらの混合物からなる群から選択されるコーティングを有する、請求項１に記載のスラリー。
【請求項５】
前記一つ又は複数のＶＭＰ顔料が、約１〜４０％の量で存在する、請求項１に記載のスラリー。
【請求項６】
前記一つ又は複数の分散添加剤が、前記ＶＭＰ顔料の合計質量に対して、１〜５０％の量で存在する、請求項１に記載のスラリー。
【請求項７】
前記一つ又は複数の分散添加剤が、前記ＶＭＰ顔料の合計質量に対して、２〜１５％の量で存在する、請求項６に記載のスラリー。
【請求項８】
前記分散添加剤が、ルイス塩基頭部基、及びグリコールエーテル尾部を含む、請求項１に記載のスラリー。
【請求項９】
一つ又は複数のバインダーを更に含む、請求項１に記載のスラリー。
【請求項１０】
前記一つ又は複数のバインダーが、ポリ（エステル）、ポリ（ウレタン）、ポリ（ビニル）、ポリ（エチレン）、ポリ（プロピレン）、セルロース、ポリ（酪酸ビニル）、ポリ（無水マレイン酸）、ポリ（スチレン）、酢酸セルロース、プロピオン酸酢酸セルロース、酢酸酪酸セルロース、ポリ（ビニルアルコール）、ポリ（アミド）、ニトロセルロース、アクリル、アルキド、フッ素系樹脂、又はこれらの任意の混合物、又はランダム、ブロック、若しくは交互コポリマーからなる群から選択される、請求項９に記載のスラリー。
【請求項１１】
エステル溶媒が、酢酸メチル、酢酸エチル、ｎ−酢酸プロピル、１−酢酸プロピル、酢酸イソプロピル、ｎ−酢酸ブチル、酢酸イソブチル、ｓｅｃ−酢酸ブチル、ｔｅｒｔ−酢酸ブチル、酪酸エチル、乳酸エチル、酢酸ヘキシル、酢酸イソアミル、プロピオン酸メチル、並びにこれらの混合物及びブレンドからなる群から選択される、請求項１に記載のスラリー。
【請求項１２】
アルコール溶媒は、メタノール、エタノール、ｎ−プロパノール、１−プロパノール、イソプロパノール、ｎ−ブタノール、１−ブタノール、２−ブタノール、イソブタノール、ｔｅｒｔ−ブタノール、ベンジルアルコール、エチレングリコール、ジエチレングリコール、２−エチルヘキサノール、グリセロール、メチルカルビトール、２−メチル−１−ブタノール、３−メチル−２−ブタノール、１，２−プロパンジオール、１、３−プロパンジオール、プロピレングリコール、プロピレングリコールモノメチルエーテル、プロピレングリコールモノメチルエーテル酢酸塩、プロピレングリコールモノ−ｎ−プロピルエーテル、プロピレングリコールモノ−ｎ−ブチルエーテル、プロピレングリコールモノ−ｔ−ブチルエーテル、プロピレングリコールモノフェニルエーテル、ジプロピレングリコールモノメチルエーテル、ジプロピレングリコールモノメチルエーテル酢酸塩、ジプロピレングリコールジメチルエーテル、ジプロピレングリコールモノ−ｎ−ブチルエーテル、ジプロピレングリコールモノ−ｔ−ブチルエーテル、ジプロピレングリコールモノ−ｎ−プロピルエーテル、トリプロピレングリコールモノメチルエーテル、トリプロピレングリコールモノ−ｎ−プロピルエーテル、トリプロピレングリコールモノ−ｎ−ブチルエーテル、並びにこれらの混合物及びブレンドからなる群から選択される、請求項１に記載のスラリー。
【請求項１３】
水、アセトン、メチルエチルケトン、テトラヒドロフラン、ジアセトンアルコール、モルホリン、イソホロン、メシチルオキシド、メチルイソブチルケトン、ペンタン、ヘキサン、シクロヘキサン、ヘプタン、オクタン、ノナン、デカン、ケロセン、ガソリン、ミネラルスピリット、鉱油、トルエン、キシレン、２−ブタノン、ジエチルエーテル、ジエチレングリコールジメチルエーテル、ニトロメタン、トリエチルアミン、ピリジン、並びにこれらの混合物及びブレンドからなる群から選択される更なる溶媒を更に含む、請求項１に記載のスラリー。
【請求項１４】
一つ又は複数の更なる添加剤を更に含む、請求項１に記載のスラリー。
【請求項１５】
前記一つ又は複数の更なる添加剤が、共分散剤、共溶媒、有機顔料、無機顔料、真珠光沢顔料、金属顔料、乳化剤、増粘剤、レオロジー調整剤、融合助剤、ワックス、樹脂、バインダー、ニス、充填材からなる群から選択される、請求項１４に記載のスラリー。
【請求項１６】
請求項１〜１５のいずれか一項に記載のスラリーを含む、完成したインク又はコーティングであって、ＶＭＰがインク又はコーティングの合計質量の０．１〜１５質量％の量で存在する、インク又はコーティング。
【請求項１７】
請求項１６に記載の完成したインク又はコーティングを含む、印刷物。